(57)【要約】      （修正有）【課題】サイフォン管をコーナー容器へ取付セットする時のセット作業を容易化できる装置を提供する。【解決手段】厨芥物収容袋１２内の溜まり汚水Ｗを吸入管１８から吐出管１９を経て、シンクＳへ自づと抜き出されることになる流し台用厨芥物収容袋の排水装置において、吐出管１９の下端部から上方へＵターンする貯水用屈曲延長路Ｅの開口上端部へ、回動コック２５を施栓状態に差し込み嵌合させると共に、その回動コック２５と屈曲延長路Ｅとの嵌合面へ互いに連通し得る横向きの第１、２吐出口２９、３０を、その屈曲延長路Ｅ側の第２吐出口３０の開口平面が吸入管１８の吸入口となる水受け皿２３の開口平面とほぼ同等の設置高さＬ−Ｌとなる関係状態に対応形成して、屈曲延長路Ｅの第２吐出口３０を回動コック２５の回動操作によって開閉できるようにした。【選択図】図２
2017057613.tif 000002
【特許請求の範囲】
【請求項１】
流し台に据え立てられるコーナー容器（Ｂ）と、その内部へ被着セットされる厨芥物収容袋（１２）と、上記コーナー容器（Ｂ）の内部に垂下する吸入管（１８）と流し台のシンク（Ｓ）に向かって垂下する吐出管（１９）とからほぼ倒立Ｕ字形に造形されたサイフォン管（Ｐ）とを備え、
そのサイフォン管（Ｐ）における吸入管（１８）の下端部に吸入口となる水受け皿（２３）を付属させる一方、同じく吐出管（１９）の下端部から更に上方へ連続的にＵターンする貯水用屈曲延長路（Ｅ）を造形して、
上記サイフォン管（Ｐ）の内部全体に水を常時充満させておくことにより、上記厨芥物収容袋（１２）内の溜まり汚水（Ｗ）が増せば、その汚水（Ｗ）がサイフォン管（Ｐ）の吸入管（１８）から吐出管（１９）を経て、流し台のシンク（Ｓ）へ自づと抜き出されることになる流し台用厨芥物収容袋の排水装置において、
上記貯水用屈曲延長路（Ｅ）の開口上端部へ回動コック（２５）を施栓状態に差し込み嵌合させると共に、
上記回動コック（２５）と屈曲延長路（Ｅ）との嵌合面へ互いに連通し得る横向きの第１、２吐出口（２９）（３０）を、その屈曲延長路（Ｅ）側の第２吐出口（３０）の開口平面が上記吸入口となる水受け皿（２３）の開口平面とほぼ同等の設置高さ（Ｌ−Ｌ）となる関係状態に対応形成して、
上記屈曲延長路（Ｅ）の第２吐出口（３０）を回動コック（２５）の回動操作によって開閉できるように定めたことを特徴とする流し台用厨芥物収容袋の排水装置。
【請求項２】
回動コック（２５）を貯水用屈曲延長路（Ｅ）からの抜け止め状態に保つと共に、
その回動コック（２５）が屈曲延長路（Ｅ）と嵌合する胴部に、第１吐出口（２９）を横向きに穿設する一方、
同じく回動コック（２５）が屈曲延長路（Ｅ）の上端部から張り出す頭部に、回動操作ハンドル（２８）を設置したことを特徴とする請求項１記載の流し台用厨芥物収容袋の排水装置。
【請求項３】
サイフォン管用受け入れ部（１７）が切り抜かれた別個な揚げ底盤（１６）を、コーナー容器（Ｂ）の内部へ抜き差し自在に差し込み嵌合させると共に、
サイフォン管（Ｐ）における吸入管（１８）の下端部に付属する水受け皿（２３）を、上記揚げ底盤（１６）のサイフォン管用受け入れ部（１７）へ振れ止め状態に差し込み使用することを特徴とする請求項１記載の流し台用厨芥物収容袋の排水装置。
【発明の詳細な説明】
【技術分野】
【０００１】
本発明は流し台のコーナー容器に被着セットされた厨芥物収容袋から、その溜まり汚水を適宜シンクへ抜き出すための有用な排水装置に関する。
【背景技術】
【０００２】
サイフォンの原理を利用した流し台用厨芥物収容袋の排水装置として、本出願人は先に特許第４９２７１１８号を取得しており、これによればサイフォン管の内部全体に常時水が充満されているため、厨芥物収容袋内の溜まり汚水はサイフォン作用によって、自づと流し台のシンクへ抜き出されることになり、そのサイフォン作用を始動させるための給水作業を不要化できる利点がある。
【先行技術文献】
【特許文献】
【０００３】
【特許文献１】特許第４９２７１１８号公報
【発明の概要】
【発明が解決しようとする課題】
【０００４】
ところが、上記特許発明の構成ではサイフォン管（Ｐ）における貯水用屈曲延長路（Ｅ）の吐出口（８）が上向く開口平面と、吸入口となる水受け皿（２６）が上向く開口平面とを、ほぼ同等の設置高さ（Ｌ−Ｌ）に保つとしても、その屈曲延長路（Ｅ）の吐出口（２８）は常時開放状態にあるため、上記サイフォン管（Ｐ）の内部全体に水を充満させることが困難である。
【０００５】
特に、サイフォン管（Ｐ）を流し台のコーナー容器（Ｂ）へ取り付けセットする時、その吐出口（２８）が吸入口となる水受け皿（２６）よりも低く下がった傾斜姿勢となり、落差が発生すれば、上記吐出口（２８）から直ちに洩水してしまうのであり、そのため取り付けセット作業上甚だ煩らわしく、すばやく使用開始することができず、未だ利便性に劣ると言わざるを得ない。
【課題を解決するための手段】
【０００６】
本発明はこのような課題の更なる改良を目的としており、その目的を達成するために、請求項１では流し台に据え立てられるコーナー容器と、その内部へ被着セットされる厨芥物収容袋と、上記コーナー容器の内部に垂下する吸入管と流し台のシンクに向かって垂下する吐出管とからほぼ倒立Ｕ字形に造形されたサイフォン管とを備え、
【０００７】
そのサイフォン管における吸入管の下端部に吸入口となる水受け皿を付属させる一方、同じく吐出管の下端部から更に上方へ連続的にＵターンする貯水用屈曲延長路を造形して、
【０００８】
上記サイフォン管の内部全体に水を常時充満させておくことにより、上記厨芥物収容袋内の溜まり汚水が増せば、その汚水がサイフォン管の吸入管から吐出管を経て、流し台のシンクへ自づと抜き出されることになる流し台用厨芥物収容袋の排水装置において、
【０００９】
上記貯水用屈曲延長路の上端部へ回動コックを施栓状態に差し込み嵌合させると共に、
【００１０】
上記回動コックと屈曲延長路との嵌合面へ互いに連通し得る横向きの第１、２吐出口を、その屈曲延長路側の第２吐出口の開口平面が上記吸入口となる水受け皿の開口平面とほぼ同等の設置高さとなる関係状態に対応形成して、
【００１１】
上記屈曲延長路の第２吐出口を回動コックの回動操作によって開閉できるように定めたことを特徴とする。
【００１２】
又、請求項２では回動コックを貯水用屈曲延長路からの抜け止め状態に保つと共に、
【００１３】
その回動コックが屈曲延長路と嵌合する胴部に、第１吐出口を横向きに穿設する一方、
【００１４】
同じく回動コックが屈曲延長路の上端部から張り出す頭部に、回動操作ハンドルを設置したことを特徴とする。
【００１５】
更に、請求項３ではサイフォン管用受け入れ部が切り抜かれた別個な揚げ底盤を、コーナー容器の内部へ抜き差し自在に差し込み嵌合させると共に、
【００１６】
サイフォン管における吸入管の下端部に付属する水受け皿を、上記揚げ底盤のサイフォン管用受け入れ部へ振れ止め状態に差し込み使用することを特徴とする。
【発明の効果】
【００１７】
請求項１の上記構成によれば、サイフォン管における吐出管の貯水用屈曲延長路に形成された横向きの第２吐出口を、回動コックの回動操作によって開閉できるようになっているため、そのサイフォン管を流し台のコーナー容器へ取り付けセットする作業時には、その第２吐出口を閉鎖状態に保っておくことにより、上記サイフォン管が誤って転倒したり、傾斜したりしても、その内部に対する給水が第２吐出口から洩れるおそれなく、その結果上記取り付けセット作業と、そのサイフォン管の内部全体に対する当初の給水を、誰でも容易・確実に行え、すばやく使用開始できる効果がある。
【００１８】
その場合、上記第２吐出口を開閉する回動コックは、上記貯水用屈曲延長路の開口上端部を常時施栓した差し込み嵌合状態にあり、その開口上端部へ着脱自在に取り付けられた単なるキャップではなく、上記屈曲延長路から取りはずされることはないため、紛失や破損などのおそれがなく、これを回動操作するのみで、上記第２吐出口を開放した使用状態に保つこともできるのである。
【００１９】
特に、請求項２の構成を採用するならば、その回動コックと上記屈曲延長路に対応形成された第１、２吐出口が横向き状態にあることとも相俟って、回動コックを一定角度だけ回動操作することにより、その屈曲延長路側の固定状態にある第２吐出口を容易に開閉することができ、安定性と耐用性にも優れる。
【００２０】
更に、請求項３の構成を採用するならば、流し台のコーナー容器へ別個な揚げ底盤を差し込み嵌合させることにより、その揚げ底盤のサイフォン管用受け入れ部へサイフォン管の吸入口となる水受け皿を、振れ止め状態に安定良く差し込み使用することができ、揚げ底盤だけの交換によって、各種大きさ・平面形状のコーナー容器に汎用し得る効果もある。
【図面の簡単な説明】
【００２１】
【図１】本発明に係る排水装置の基本実施形態を示す平面図である。
【図２】図１の２−２線断面図である。
【図３】図２の一部を抽出して示す拡大側面図である。
【図４】図３の４−４線断面図である。
【図５】図４の５−５線断面図である。
【図６】図４の６−６線断面図である。
【図７】図４の７−７線断面図である。
【図８】サイフォン管を抽出して示す側面図である。
【図９】図８の９−９線拡大断面図である。
【図１０】吸入口筒を抽出して示す側面図である。
【図１１】図１０の１１−１１線断面図である。
【図１２】図１０の１２−１２線断面図である。
【図１３】水受け皿を抽出して示す側面図である。
【図１４】図１３の１４−１４線断面図である。
【図１５】回動コックを抽出して示す側面図である。
【図１６】図１５の１６−１６線断面図である。
【図１７】回動コックの第１変形実施形態を示す断面図である。
【図１８】回動コックの第２変形実施形態を示す断面図である。
【図１９】揚げ底盤の変形実施形態を示す平面図である。
【図２０】図１９の一部を抽出して示す拡大平面図である。
【図２１】小型化した揚げ底盤を示す平面図である。
【図２２】回動コックによる吐出口の閉鎖状態を示す図４に対応する断面図である。
【図２３】図２２の２３−２３線断面図である。
【図２４】使用開始当初の準備状態を示す図２に対応する断面図である。
【発明を実施するための形態】
【００２２】
以下、図面に基いて本発明の具体的構成を詳述すると、図１〜１６はその本発明に係る排水装置の基本実施形態を示しており、（Ｂ）は流し台のシンク（Ｓ）に設置される一定深さのコーナー容器であって、硬質な合成樹脂からほぼ直角三角形や半月形などの平面輪郭形状に、しかもその囲い壁面（１１）の上向き拡開する傾斜テーパー面として一体成形されている。
【００２３】
そして、このようなコーナー容器（Ｂ）の内部に軟質な透明合成樹脂フィルム製の厨芥物収容袋（１２）が被着セットされることとなる。（１３）はコーナー容器（Ｂ）の底面（１４）のみか、又はその底面（１４）と上記囲い壁面（１１）との角隅部へ、櫛目状や網目状に切り抜かれた多数の水切り用スリット、（１５）は同じくコーナー容器（Ｂ）の底面（１４）から連続一体に垂下する複数のスタンドであり、これによって流し台のシンク（Ｓ）へ安定良く据え立て使用される。
【００２４】
（１６）は上記コーナー容器（Ｂ）の内部へ抜き差し自在に差し込み嵌合される別個な揚げ底盤（簀の子）であって、上記コーナー容器（Ｂ）よりも低硬度の合成樹脂（例えば硬質ポリウレタンフォームやポリスチレンフォーム、発泡スチロールなど）やゴム、その他の可塑物から一定な厚み（Ｔ）（例えば約１０〜１５mm）の平盤形態をなしており、これにはサイフォン管用受け入れ部（１７）が設けられている。
【００２５】
そのサイフォン管用受け入れ部（１７）を図２では、言わば底無しの円形受け入れ口として貫通形成しているが、これに代る底有りの受け入れ凹段面として、一定深さだけ陥没させるにとどめても良く、要するに後述のサイフォン管（Ｐ）における吸入管の下端部を、その揚げ底盤（１６）のサイフォン管用受け入れ部（１７）へ受け入れて、振れ止め状態に安定良く固定維持できれば足りる。
【００２６】
サイフォン管（Ｐ）は向かい合うほぼ倒立Ｌ字形の吸入管（１８）と吐出管（１９）とから、連続する全体的なほぼ倒立Ｕ字形の屈曲高架路（Ｈ）をなしており、図８、９に示すように、その吸入管（１８）と吐出管（１９）とが硬質な合成樹脂（好ましくは透明又は半透明の合成樹脂）から一体成形されている。
【００２７】
但し、図示省略するが、そのサイフォン管（Ｐ）の吸入管（１８）と吐出管（１９）とを言わば分割した別体物として、上記コーナー容器（Ｂ）の開口上縁部に跨がることとなる屈曲高架路（Ｈ）の中間位置において連通状態に接合一体化したり、或いは分解掃除できるよう着脱自在に組み立てても良い。
【００２８】
何れにしても、上記サイフォン管（Ｐ）の吸入管（１８）はコーナー容器（Ｂ）の内部へ挿入使用されるものとして、比較的に短く（浅く）垂下しており、図３〜６に示すように、その下端部には吸入口筒（２０）が套嵌状態に付属一体化されている。
【００２９】
吸入口筒（２０）も硬質な合成樹脂から成り、その胴面には図１０〜１２のような複数（図例では合計３個）の縦櫛目状導水スリット（割り溝）（２１）が、下端面からの一定高さ（ｈ）だけ全体的な放射対称分布型に切り欠かれており、その切り欠きとの相対的に残存する胴面が同じ複数の脚柱（２２）として垂立している。
【００３０】
しかも、各脚柱（２２）の下端部だけは厚肉化されることにより、そこには外向きに張り出す抜け止めフランジ（２２ａ）と、内向きに張り出す吸入管用管端受け止めフランジ（２２ｂ）とが造形されている。上記吸入管（１８）の下端部へ吸入口筒（２０）を差し込み套嵌した状態において、その吸入管（１８）の管端面が図４のように、下方から吸入口筒（２０）の管端受け止めフランジ（２２ｂ）により受け止められているのである。
【００３１】
（２３）は硬質な合成樹脂から図１３、１４のような一定深さ（ｄ）の断面ほぼＵ字形に形成された水受け皿であり、図３〜６のように上記吸入口筒（２０）を下方から被覆する状態に差し込み套嵌されている。その場合、水受け皿（２３）の内奥部には上記吸入口筒（２０）側の抜け止めフランジ（２２ａ）を受け入れる凹周溝（２４）が切り欠かれており、その吸入口筒（２０）側の外向きに張り出す抜け止めフランジ（２２ａ）を備えた脚柱（２２）が、その先端部（下端部）から口径を収縮変形しながら水受け皿（２３）の内部へ差し込まれた時、その復元張力により水受け皿（２３）側の凹周溝（２４）へ係止し、抜け出さない固定状態に保たれている。
【００３２】
そして、図３〜６のような吸入管（１８）の下端部に対する吸入口筒（２０）と水受け皿（２３）の組立状態では、その吸入口筒（２０）側に切り欠かれた上記導水スリット（割り溝）（２１）の一定高さ（ｈ）が、水受け皿（２３）の一定深さ（開口平面）（ｄ）よりも背高い大寸法であるため、併せて吸入管（１８）の下端部は吸入口筒（２０）側の管端受け止めフランジ（２２ｂ）に受け止められており、水受け皿（２３）によって密閉されていないため、後述する使用当初だけの給水や厨芥物収容袋（１２）内の溜まり汚水（Ｗ）を、その吸入管（１８）の下端部に付属する吸入口筒（２０）から水受け皿（２３）を経て、サイフォン管（Ｐ）の内部へ円滑に流通させることができる。
【００３３】
他方、サイフォン管（Ｐ）の吐出管（１９）は流し台のシンク（Ｓ）に臨むものとして、上記吸入管（１８）よりも比較的長く（深く）垂下しており、その下端部から上記コーナー容器（Ｂ）の開口上縁部に跨がるほぼ倒立Ｕ字形の屈曲高架路（Ｈ）とは言わば逆に、上方へ連続的にＵターンする貯水用屈曲延長路（Ｅ）が造形されている。
【００３４】
つまり、吐出管（１９）の下端部をなす屈曲延長路（Ｅ）は上向きに開口しているが、その開口上端部には回動コック（２５）が図３、４のような施栓状態に差し込み嵌合されている。この点、図示の基本実施形態では回動コック（２５）の嵌合面から凸周条（２６）を外向きに張り出す一方、その凸周条（２６）の受け入れ用凹周溝（２７）を屈曲延長路（Ｅ）に対応形成して、回動コック（２５）の回動操作を行える嵌合状態に保っている。
【００３５】
（２８）は上記回動コック（２５）における屈曲延長路（Ｅ）の上端部から張り出す頭部へ、図１５、１６のような横断状態に打ち込み固定された管棒材の回動操作ハンドル、（２９）は同じく回動コック（２５）における上記屈曲延長路（Ｅ）と嵌合している胴部に穿孔された横向きの第１吐出口であり、その屈曲延長路（Ｅ）の対応位置に穿設された横向きの第２吐出口（３０）と連通し得るようになっている。その連通し得る限りでは、可動側の第１吐出口（２９）と固定側の第２吐出口（３０）との相互間に、開口径の大小差があってもさしつかえない。
【００３６】
図４、７はその第１、２吐出口（２９）（３０）の連通する開放状態を示しているが、上記回動コック（２５）をその回動操作ハンドル（２８）により一定角度（θ）（例えば約９０度や約１８０度）だけ回動させて、その屈曲延長路（Ｅ）側の固定状態にある第２吐出口（３０）を図２２、２３のように閉鎖することができる。
【００３７】
そして、上記サイフォン管（Ｐ）の屈曲延長路（Ｅ）に横向き開口する第２吐出口（３０）の開口平面と、上記吸入口となる水受け皿（２３）の上向き開口平面とが、図２や図２４のようなほぼ同等の設置高さ（Ｌ−Ｌ）に保たれているのである。
【００３８】
その結果、コーナー容器（Ｂ）の内部に向かって開口する吸入管（１８）の水受け皿（２３）から、流し台のシンク（Ｓ）へ臨む吐出管（１９）の上記第２吐出口（３０）まで延在するサイフォン管（Ｐ）の内部全体に、常時水を充満させることができ、そのコーナー容器（Ｂ）内に被着セットされている厨芥物収容袋（１２）の溜まり汚水（Ｗ）が発生すれば、その汚水（Ｗ）をサイフォン管（Ｐ）の吸入管（１８）から自づと確実に吸い上げ、吐出管（１９）を通じて流し台のシンク（Ｓ）へ円滑に抜き出せるのであり、そのサイフォン作用を始動させる水の補給作業を一々加える必要が無くなる。
【００３９】
又、上記サイフォン管（Ｐ）を流し台のコーナー容器（Ｂ）へ取り付けセットする場合、その吐出管（１９）の屈曲延長路（Ｅ）に横向き開口する第２吐出口（３０）を、回動コック（２５）の回動操作によって閉鎖状態に保てるため、サイフォン管（Ｐ）の内部へすばやく容易に水を充満させることができ、サイフォン管（Ｐ）の転倒や傾斜姿勢などに起因する洩水を気遣う必要がない。
【００４０】
図１〜１６の基本実施形態では上記吐出管（１９）の屈曲延長路（Ｅ）と、その開口上端部の施栓状態に差し込まれた回動コック（２５）とを、凸周条（２６）と凹周溝（２７）との凹凸嵌合状態に保っているが、図１７、１８の第１、２変形実施形態に例示する如く、上記屈曲延長路（Ｅ）の開口上端部へ施栓状態に差し込み嵌合した回動コック（２５）を、その開口上端部へ着脱自在に螺合締結した抜け止めカバー（３１）によって、上方への抜け止め状態に被覆すると共に、その回動コック（２５）が抜け止めカバー（３１）から更に張り出す頭部へ、管棒材の回動操作ハンドル（２８）を串刺し貫通させたり、その頭部自身を図１８のような摘まみ板片状の回動操作ハンドル（２８）として造形しても良い。その図１７、１８の符号（３２）は回動コック（２５）の受け止めフランジである。
【００４１】
尚、その他の構成は上記基本実施形態と実質的に同一であるため、その図１７、１８に図１〜１６と同じ符号を記入するにとどめて、その第１、２変形実施形態の詳細な説明を省略する。
【００４２】
更に、図１〜１６の上記基本実施形態ではコーナー容器（Ｂ）と対応する大きさ・形状の別個な揚げ底盤（１６）を、そのコーナー容器（Ｂ）の内部へ図２のように差し込み嵌合すると共に、その揚げ底盤（１６）のサイフォン管用受け入れ部（１７）へサイフォン管（Ｐ）の吸入口となる上記水受け皿（２３）を、上方から差し込み固定使用するようになっている。そのため、各種大きさ・平面形状のコーナー容器（Ｂ）に対して、その揚げ底盤（１６）だけの交換により汎用できるほか、厨芥物収容袋（１２）の溜まり汚水（Ｗ）を残ることなく、すべて流し台のシンク（Ｓ）へ完全に排出し得る利点もある。
【００４３】
又、上記した別個な揚げ底盤（１６）としても、その１枚物のみに限らず、図１９〜２１の変形実施形態に例示する如く、多数の同じハニカムやその他の平面形状を備えた揚げ底盤片（１６ａ）が、薄肉又は／及び柔軟な連結部（３３）を介して並列された形態品を採用し、これを連結部（３３）から容易に切り取り小型化して、コーナー容器（Ｂ）の大きさ・形状に適合させることが好ましい。サイフォン管用受け入れ部（１７）が、予じめ切り抜き開口されていることに変りはない。
【００４４】
上記基本実施形態の構成を備えた排水装置の使用により、流し台のコーナー容器（Ｂ）内に被着セットされている厨芥物収容袋（１２）から、その溜まり汚水（Ｗ）を排出する場合には、その準備作業としてコーナー容器（Ｂ）へ上記サイフォン管（Ｐ）を取り付けセットする。
【００４５】
即ち、サイフォン管（Ｐ）の吸入口となる水受け皿（２３）を図２や図２４のように、上記コーナー容器（Ｂ）の揚げ底盤（１６）に開口しているサイフォン管用受け入れ部（１７）へ、上方から厨芥物収容袋（１２）を押え付ける状態に差し込み嵌合させる一方、同じくサイフォン管（Ｐ）における吐出管（１９）の貯水用屈曲延長路（Ｅ）を、流し台のシンク（Ｓ）へ臨ませるのであり、その場合必要に応じて、上記サイフォン管（Ｐ）がコーナー容器（Ｂ）の開口上縁部に跨がる屈曲高架路（Ｈ）を、そのコーナー容器（Ｂ）へ図外の適当な支持用具によって、安定良く受け止め支持させる。
【００４６】
そして、その排水装置の使用当初だけコーナー容器（Ｂ）の内部へ給水することにより、その水を上記サイフォン管（Ｐ）の内部全体に充満させて、真空が発生しない状態に保つのであるが、その準備中にはサイフォン管（Ｐ）が誤って転倒したり、そのサイフォン管（Ｐ）の第２吐出口（３０）が吸入口となる水受け皿（２３）よりも低く下がる傾斜姿勢となったりして、とにかく不安定であり、上記サイフォン管（Ｐ）の第２吐出口（３０）から洩水してしまいやすいため、図２４のように回動コック（２５）を回動操作して、そのサイフォン管（Ｐ）の第２吐出口（３０）を閉鎖状態に保っておく。
【００４７】
そうすれば、上記サイフォン管（Ｐ）の内部全体へ給水をすばやく確実に充満させることができ、真空が発生しない状態に保てるので、その状態を得られた時には、再度回動コック（２５）を回動操作することにより、上記サイフォン管（Ｐ）の第２吐出口（３０）を図２のような開放状態に保って使用する。
【００４８】
このような状態での使用中、流し台での調理が繰り返し行われ、厨芥物収容袋（１２）内の溜まり汚水（Ｗ）を発生し、これが増すに連れて、その汚水（Ｗ）は上記サイフォン管（Ｐ）における吸入管（１８）の水受け皿（２３）から自づと吸い上げられ、同じくサイフォン管（Ｐ）における吐出管（１９）の下端部をなす屈曲延長路（Ｅ）の上記第２吐出口（３０）から、流し台のシンク（Ｓ）へ洩れなく円滑に抜き出されることになる。
【００４９】
その結果、その溜まり汚水（Ｗ）が排出された厨芥物収容袋（１２）を把持して、その水切り状態に残る厨芥物だけを、別な廃棄用のゴミ袋や屋外のゴミ箱（図示省略）などへ移し入れ処理することができる。
【００５０】
更に、上記サイフォン管（Ｐ）の内部全体が常時水の充満状態に保たれている限り、厨芥物収容袋（１２）の溜まり汚水（Ｗ）を何時でも自づと抜き出すことができ、その抜き出すたび毎に新らたな水の補給作業を繰り返す必要はない。
【００５１】
又、上記コーナー容器（Ｂ）へサイフォン管（Ｐ）を取り付けセットする作業時には、その第２吐出口（３０）を回動コック（２５）での閉鎖状態に保っておくことにより、上記サイフォン管（Ｐ）の転倒や傾斜などに起因する第２吐出口（３０）からの洩水を防止することができる。
【００５２】
しかも、上記回動コック（２５）はサイフォン管（Ｐ）における吐出管（１９）の開口上端部を常時施栓した嵌合状態にあり、その開口上端部へ着脱自在に取り付けられた単なるキャップではないため、その取りはずしによる紛失や破損などを生ずるおそれもない。
【００５３】
尚、上記排水装置を使用しない場合には、そのサイフォン管（Ｐ）をコーナー容器（Ｂ）の揚げ底盤（１６）から引き抜き、更にその揚げ底盤（１６）もコーナー容器（Ｂ）から抜き出し分割して、各々清掃したり、保管したりすれば良い。
【符号の説明】
【００５４】
（１１）・囲い壁面
（１２）・厨芥物収容袋
（１３）・水切り用スリット
（１４）・底面
（１５）・スタンド
（１６）・揚げ底盤
（１６ａ）・揚げ底盤片
（１７）・サイフォン管用受け入れ部
（１８）・吸入管
（１９）・吐出管
（２０）・吸入口筒
（２１）・導水スリット（割り溝）
（２２）・脚柱
（２２ａ）・抜け止めフランジ
（２２ｂ）・管端受け止めフランジ
（２３）・水受け皿
（２４）・凹周溝
（２５）・回動コック
（２６）・凸周条
（２７）・凹周溝
（２８）・回動操作ハンドル
（２９）・第１吐出口
（３０）・第２吐出口
（３１）・抜け止めカバー
（３２）・受け止めフランジ
（３３）・連結部
（Ｂ）・コーナー容器
（Ｅ）・貯水用屈曲延長路
（Ｈ）・屈曲高架路
（Ｓ）・シンク
（Ｗ）・溜まり汚水
【図１】
2017057613.tif 000003
【図２】
2017057613.tif 000004
【図３】
2017057613.tif 000005
【図４】
2017057613.tif 000006
【図５】
2017057613.tif 000007
【図６】
2017057613.tif 000008
【図７】
2017057613.tif 000009
【図８】
2017057613.tif 000010
【図９】
2017057613.tif 000011
【図１０】
2017057613.tif 000012
【図１１】
2017057613.tif 000013
【図１２】
2017057613.tif 000014
【図１３】
2017057613.tif 000015
【図１４】
2017057613.tif 000016
【図１５】
2017057613.tif 000017
【図１６】
2017057613.tif 000018
【図１７】
2017057613.tif 000019
【図１８】
2017057613.tif 000020
【図１９】
2017057613.tif 000021
【図２０】
2017057613.tif 000022
【図２１】
2017057613.tif 000023
【図２２】
2017057613.tif 000024
【図２３】
2017057613.tif 000025
【図２４】
2017057613.tif 000026